(57)【要約】【課題】危険物タンクへの外圧を抑制しつつ、コストの増加を抑える。【解決手段】危険物タンク１４用の充填材１６は、危険物が貯蔵される危険物タンク１４が設置された容器１０に充填する充填材１６である。充填材１６は、クリンカアッシュを含む。このような充填材１６を用いることで、危険物タンク１４への外圧を抑制しつつ、コストの増加を抑えることができる。【選択図】図１
2020189666.tif 000002
【特許請求の範囲】
【請求項１】
危険物が貯蔵される危険物タンクが設置された容器に充填する充填材であって、
前記充填材は、クリンカアッシュを含む、危険物タンク用の充填材。
【請求項２】
前記充填材は、不可避的不純物を除き、クリンカアッシュのみを含む、請求項１に記載の危険物タンク用の充填材。
【請求項３】
前記充填材は、単位体積質量が０．８ｇｃｍ３以上１．３ｇｃｍ３以下である、請求項１又は請求項２に記載の危険物タンク用の充填材。
【請求項４】
前記充填材は、ｐＨが１０以上１４以下である、請求項１から請求項３のいずれか１項に記載の危険物タンク用の充填材。
【請求項５】
前記充填材は、含水率が１５％以上６０％以下である、請求項１から請求項４のいずれか１項に記載の危険物タンク用の充填材。
【請求項６】
容器と、
前記容器内に設置され、危険物が貯蔵される危険物タンクと、
前記危険物タンクが設置された前記容器内に設けられる請求項１から請求項５のいずれか１項に記載の充填材と、
を有する、危険物タンク構造。
【請求項７】
危険物が貯蔵される危険物タンクを容器内に設置する設置ステップと、
前記危険物タンクが配置された容器内に、クリンカアッシュを含む充填材を充填する充填ステップと、
を有する、危険物タンクの設置方法。
【発明の詳細な説明】
【技術分野】
【０００１】
本発明は、危険物タンク用の充填材、危険物タンク構造、及び危険物タンクの設置方法に関する。
【背景技術】
【０００２】
可燃性物質などの危険物が貯蔵される危険物タンクは、地下に配置される場合がある。例えば特許文献１には、危険物が貯蔵される危険物タンクの周囲に、土砂や砂などを充填する旨が記載さえている。また、「危険物の規制に関する規則」では、危険物タンクを地下に配置する場合に、危険物タンクをコンクリートなどの容器内に設置し、危険物タンクが設置された容器内に乾燥砂で充填させる旨が記載されている。また、乾燥砂の代わりに、人工軽量骨材を用いる場合もある。
【先行技術文献】
【特許文献】
【０００３】
【特許文献１】特開平６−７３９１９号公報
【発明の概要】
【発明が解決しようとする課題】
【０００４】
しかし、土砂や砂は比重が高いため、特許文献１のように危険物タンクの充填に土砂や砂などを用いると、危険物タンクに作用する外圧が高くなるおそれがある。危険物タンクに作用する外圧が高くなる場合、タンクの破損を抑制するため、高い外圧に備えて高強度な構造とする必要などが生じる。また、乾燥砂は、砂を乾燥させて水分を除去しているため、通常の砂より比重は軽くなるが、比重の低減には改善の余地がある。また、人工軽量骨材は乾燥砂より比重は軽いが、工程や材料の影響により、コストが高くなってしまう。以上より、危険物タンク用の充填材として、危険物タンクへの外圧を抑制しつつ、コストの増加を抑えるものが求められている。
【０００５】
本発明は、上記課題を解決するために危険物タンクへの外圧を抑制しつつ、コストの増加を抑える危険物タンク用の充填材、危険物タンク構造、及び危険物タンクの設置方法を提供することを目的とする。
【課題を解決するための手段】
【０００６】
上述した課題を解決し、目的を達成するために、本開示の危険物タンク用の充填材は、危険物が貯蔵される危険物タンクが設置された容器に充填する充填材であって、前記充填材は、クリンカアッシュを含む。
【０００７】
前記充填材は、不可避的不純物を除き、クリンカアッシュのみを含むことが好ましい。
【０００８】
前記充填材は、単位体積質量が０．８ｇｃｍ３以上１．３ｇｃｍ３以下であることが好ましい。
【０００９】
前記充填材は、ｐＨが１０以上であることが好ましい。
【００１０】
前記充填材は、含水率が１５％以上６０％以下であることが好ましい。
【００１１】
上述した課題を解決し、目的を達成するために、本開示の危険物タンク構造は、容器と、前記容器内に設置され、危険物が貯蔵される危険物タンクと、前記危険物タンクが設置された前記容器内に設けられる前記充填材と、を有する。
【００１２】
上述した課題を解決し、目的を達成するために、本開示の危険物タンクの設置方法は、危険物が貯蔵される危険物タンクを容器内に設置する設置ステップと、前記危険物タンクが配置された容器内に、クリンカアッシュを含む充填材を充填する充填ステップと、を有する。
【００１３】
本発明によれば、危険物タンクへの外圧を抑制しつつ、コストの増加を抑えることができる。
【図面の簡単な説明】
【００１４】
【図１】図１は、本実施形態に係る危険物タンク構造の模式図である。
【図２】図２は、本実施形態に係る充填材の模式図である。
【図３】図３は、本実施形態に係る危険物タンクの設置方法を説明するフローチャートである。
【図４】図４は、本実施形態に係る危険物タンクの設置方法を説明する模式図である。
【図５】図５は、本実施形態に係る危険物タンクの設置方法を説明する模式図である。
【図６】図６は、本実施形態に係る危険物タンクの設置方法を説明する模式図である。
【発明を実施するための形態】
【００１５】
以下に添付図面を参照して、本発明の好適な実施形態を詳細に説明する。なお、この実施形態により本発明が限定されるものではなく、また、実施形態が複数ある場合には、各実施例を組み合わせて構成するものも含むものである。
【００１６】
図１は、本実施形態に係る危険物タンク構造の模式図である。図１に示すように、本実施形態に係る危険物タンク構造１は、容器１０と、固定部１２と、危険物タンク１４と、充填材１６とを備える。危険物タンク構造１は、危険物が貯蔵される危険物タンク１４を地下に配置するための構造である。すなわち、危険物タンク１４を含む危険物タンク構造１は、地下Ｇに設けられる。危険物タンク構造１は、地下タンク貯蔵所と言い換えることもできる。
【００１７】
容器１０は、内部に危険物タンク１４が設けられる中空の構造物である。容器１０は、例えば、コンクリート製である。容器１０は、内部に危険物タンク１４が設けられるタンク室と言い換えることもできる。容器１０は、地下Ｇに設けられる。
【００１８】
固定部１２は、容器１０の内部に設けられる構造物である。固定部１２は、容器１０内で危険物タンク１４を固定するものである。例えば、固定部１２は、危険物タンク１４の土台であってよい。ただし、固定部１２は、容器１０内で危険物タンク１４を固定可能な構造であれば、土台に限られず任意の構造であってよい。
【００１９】
危険物タンク１４は、内部に危険物が貯蔵されるタンクである。危険物タンク１４に貯蔵される危険物は、例えば消防法で定められる危険物を指し、引火性の液体などである。危険物タンク１４は、例えば鋼鉄製の部材に防錆用の塗装が施されている。危険物タンク１４は、容器１０の内部に設けられる。危険物タンク１４は、固定部１２によって、容器１０内で位置が固定される。危険物タンク１４は、このように容器１０内に収納されて地下Ｇに埋設される。
【００２０】
図２は、本実施形態に係る充填材の模式図である。充填材１６は、危険物タンク１４が収納された容器１０の内部に設けられる。充填材１６は、図２に示すように、複数の粒子２０を含む粒体である。粒子２０は、石炭灰であり、さらに言えばクリンカアッシュである。すなわち、充填材１６は、クリンカアッシュを含むものである。さらに言えば、本実施形態においては、充填材１６は、粒子２０と不可避的不純物とで構成されることが好ましい。すなわち、充填材１６は、不可避的不純物を除けば、粒子２０のみを含むことが好ましい。言い換えれば、充填材１６は、不可避的不純物を除けば、クリンカアッシュのみを含むことが好ましい。
【００２１】
充填材１６（粒子２０）は、乾燥砂よりも最大乾燥密度が小さい。具体的には、充填材１６（粒子２０）は、最大乾燥密度が、０．８ｇ／ｃｍ３以上１．３ｇ／ｃｍ３以下であることが好ましい。ここでの最大乾燥密度は、いわゆる見掛け密度であり、例えば、ＪＩＳ  Ａ１２１０で規定する密度試験方法で測定したものであってよい。
【００２２】
また、充填材１６（粒子２０）は、弱アルカリ性であることが好ましい。具体的には、充填材１６（粒子２０）は、ｐＨが、１０以上であることが好ましく、１４以下であることが好ましい。ここでの充填材１６（粒子２０）のｐＨは、例えば、充填材１６（粒子２０）と接した水のｐＨ値を指す。さらに言えば、充填材１６（粒子２０）のｐＨは、ＪＧＳ０２１１の土縣濁液のｐＨ試験方法で測定した場合のｐＨの値を指してよい。
【００２３】
また、充填材１６（粒子２０）は、含水率が、乾燥砂より大きいことが好ましい。すなわち、乾燥砂のように水を除去する乾燥工程を経ずに充填材１６（粒子２０）を得ることが好ましい。充填材１６（粒子２０）は、質量基準の含水率が、１５％以上６０％以下であることが好ましい。充填材１６（粒子２０）の含水率は、例えば、ＪＩＳ  Ａ１２１０に規定された方法で測定した場合の値を指す。
【００２４】
危険物タンク構造１は、以上のような構成となっている。次に、危険物タンク構造１における危険物タンク１４の設置方法について説明する。図３は、本実施形態に係る危険物タンクの設置方法を説明するフローチャートである。図４から図６は、本実施形態に係る危険物タンクの設置方法を説明する模式図である。
【００２５】
危険物タンク１４の設置する場合、最初に、充填材選定ステップを実行する（ステップＳ１０）。充填材選定ステップは、容器１０に充填する充填材１６を選定する工程である。充填材選定ステップにおいては、例えば、クリンカアッシュの粒体から、単位体積質量が、０．８ｇ／ｃｍ３以上１．３ｇ／ｃｍ３以下となるクリンカアッシュの粒体を選定する。また、充填材選定ステップにおいては、例えば、含水率が１５％以上６０％以下となるクリンカアッシュの粒体を選定する。また、充填材選定ステップにおいては、クリンカアッシュの粒体から、弱アルカリ性となるクリンカアッシュの粒体、ｐＨが１０以上１４以下となるクリンカアッシュの粒体を選定する。充填材選定ステップにおいては、このようにして選定したクリンカアッシュの粒体を、容器１０に充填する充填材１６とする。
【００２６】
例えば、充填材選定ステップにおいては、ロット毎、すなわち所定量のクリンカアッシュの粒体毎に、単位体積質量、ｐＨ、気孔率、含水率を測定する。そして、単位体積質量、ｐＨ、気孔率、含水率の全てについて上記の数値範囲を満たすロットのクリンカアッシュを、容器１０に充填する充填材１６として選定する。ただし、充填材選定ステップにおいては、単位体積質量、ｐＨ、気孔率、含水率の全てについて調べなくてもよい。充填材選定ステップにおいては、単位体積質量、ｐＨ、気孔率、含水率の少なくとも１つを測定して、その測定結果が上記の数値範囲を満たせば、そのロットのクリンカアッシュを、容器１０に充填する充填材１６として選定してよい。例えば、充填材選定ステップにおいては、ｐＨのみを測定して、ｐＨの測定結果が上記の数値範囲を満たせば、そのロットのクリンカアッシュを、容器１０に充填する充填材１６として選定してよい。クリンカアッシュは、単位体積質量、ｐＨ、気孔率、含水率のうち、特にｐＨが規定を満たさない場合が想定されるため、充填材選定ステップで弱アルカリ性のものを選定しておくことで、選定の負荷を低減しつつ、有用な充填材１６を用いることができる。
【００２７】
このように、充填材選定ステップを行うことで有用な充填材１６を用いることができるが、充填材選定ステップは必須の工程ではない。すなわち、充填材選定ステップを実行せず、納品されてきたクリンカアッシュをそのまま充填材１６として用いてもよい。
【００２８】
次に、設置ステップを実行する（ステップＳ１２）。設置ステップにおいては、図４に示すように、地上に掘られた穴Ｈに、鉛直方向上方が開放された容器１０を設置する。そして、容器１０内に危険物タンク１４を設置して、危険物タンク１４を固定部１２で固定する。これにより、地下Ｇにおいて、容器１０内に危険物タンク１４が設置される。
【００２９】
次に、図３に示す充填ステップを実行する（ステップＳ１４）。充填ステップにおいては、図５に示すように、容器１０の鉛直方向上方の開放された箇所から、危険物タンク１４が設置された容器１０内に、充填材１６を投入する。これにより、危険物タンク１４が設置された容器１０内は、充填材１６が充填される。なお、本実施形態においては、充填ステップで用いる充填材１６は、充填材選定ステップで選定された充填材１６に対し、乾燥させるなどの処理を加えない。
【００３０】
次に、図３に示す埋設ステップを実行する（ステップＳ１６）。埋設ステップにおいては、図６に示すように、危険物タンク１４が設置されて充填材１６が充填された容器１０の鉛直方向上方の開放された部分を蓋で閉じる。これにより、容器１０内を密閉する。そして、容器１０の上に土砂を堆積させることで、容器１０を地下に埋設する。これにより、地下Ｇへの危険物タンク１４の設置が終了し、危険物タンク構造１が完成する。
【００３１】
ここで、容器１０内に危険物タンク１４を設置して地下Ｇに埋設する際に、容器１０内に乾燥砂を充填する場合がある。乾燥砂は、砂を乾燥させたものなので、水分が除去されている分、通常の砂よりも単位体積質量が小さい。しかし、乾燥砂でも、単位体積質量が例えば１．６ｇ／ｃｍ３程度になり、単位体積質量が十分に小さくなっているとはいえない。単位体積質量が高いと、危険物タンク１４に作用する外部からの圧力（外圧）が大きくなるため、危険物タンク１４が破損するおそれが生じたり、高い外圧に備えて危険物タンク１４を高強度な構造とするために、コスト増となるおそれが生じたりする。一方、容器１０内に人工軽量骨材を充填することも考えられる。人工軽量骨材は、乾燥砂より単位体積質量が低いため危険物タンク１４への外圧を低減できるが、材料や工程に起因してコストが高くなるおそれがある。
【００３２】
それに対し、本実施形態においては、危険物タンク１４が設置された容器１０に充填する充填材として、クリンカアッシュを含む充填材１６を用いる。クリンカアッシュは、乾燥砂などに比べ、単位体積質量が小さい傾向にあるため、充填材１６を用いることで、危険物タンク１４に作用する外圧を抑制できる。さらに、クリンカアッシュは、石炭を燃焼させた時に発生する石炭灰であるため、高額の材料ではない。従って、クリンカアッシュを充填材１６として用いることで、危険物タンク１４に作用する外圧を抑制しつつ、コストの増加を抑えることができる。また、クリンカアッシュは、石炭を燃焼させた時に発生する石炭灰であり、例えば火力発電所の副産物であるため、これを再利用することが可能となり、環境負荷を低減することもできる。
【００３３】
また、充填材１６は、不可避的不純物を除き、クリンカアッシュのみを含むことが好ましい。充填材１６をクリンカアッシュのみとすることで、危険物タンク１４に作用する外圧を抑制しつつ、コストの増加を抑えることができる。
【００３４】
また、充填材１６は、単位体積質量が０．８ｇｃｍ３以上１．３ｇｃｍ３以下であることが好ましい。このように単位体積質量が小さい充填材１６を用いることで、危険物タンク１４に作用する外圧を抑制できる。
【００３５】
また、充填材１６は、ｐＨが１０以上１４以下であることが好ましい。危険物タンク１４は、容器１０で密閉されることで、外部からの水分の侵入が抑えられ、錆が抑制されている。また、防錆用の塗装を行うことでも、錆が抑制される。このように錆対策が施されているが、例えば容器１０に生じた亀裂から水が侵入した場合なども想定され、錆対策についても改善の余地がある。それに対し本実施形態においては、充填材１６が弱アルカリ性のクリンカアッシュであるため、危険物タンク１４の周りに水分が存在したとしても、水が弱アルカリ性となるため、錆の生成が抑えられる。このように、充填材１６として弱アルカリ性のクリンカアッシュを用いることで、錆を適切に抑えることができる。さらに、充填材１６が弱アルカリ性であるため、充填材１６が水分を多少含んでいても、その水分による錆の発生も抑えられる。従って、乾燥砂などのように、乾燥工程を行う必要がなくなるため、工程の簡略化及びコスト増加を抑えることができる。
【００３６】
また、充填材１６は、含水率が１５％以上６０％以下であることが好ましい。クリンカアッシュを充填材とすることで、このような含水率となる程度の水分を含んでいても、錆を抑えることが可能となる。このような充填材１６を用いることで、例えば乾燥させる工程が不要となり、工程の簡略化及びコスト増加を抑えることができる。
【００３７】
また、本実施形態に係る危険物タンク構造１は、容器１０と、容器１０内に設置され危険物が貯蔵される危険物タンク１４と、危険物タンク１４が設置された容器１０内に設けられる充填材１６と、を有する。危険物タンク構造１は、危険物タンク１４が設置された容器１０内にこのような充填材１６を設けることで、危険物タンク１４に作用する外圧を抑制しつつ、コストの増加を抑えることができる。
【００３８】
また、本実施形態に係る危険物タンク１４の設置方法においては、危険物が貯蔵される危険物タンク１４を容器１０内に設置する設置ステップＳ１２と、危険物タンク１４が配置された容器１０内に、クリンカアッシュを含む充填材１６を充填する充填ステップＳ１４と、を有する。容器１０内にこのような充填材１６を充填することで、危険物タンク１４に作用する外圧を抑制しつつ、コストの増加を抑えることができる。
【００３９】
以上、本発明の実施形態について説明したが、これら実施形態の内容によりこの発明が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【符号の説明】
【００４０】
１  危険物タンク構造
１０  容器
１２  固定部
１４  危険物タンク
１６  充填材
【図１】
2020189666.tif 000003
【図２】
2020189666.tif 000004
【図３】
2020189666.tif 000005
【図４】
2020189666.tif 000006
【図５】
2020189666.tif 000007
【図６】
2020189666.tif 000008